(57)【要約】【課題】鋼板屋根に用いられた場合でも遮熱体の遮熱部が鋼板屋根材と接触することがない遮熱体を提供する。【解決手段】アルミフィルムからなる第１遮熱層１１と、アルミ箔からなる第２遮熱層１３と、前記第１遮熱層１１と前記第２遮熱層１３との間に配設された発泡ポリエチレンフォームからなる第１断熱層１２とを備え、前記第１遮熱層１１および前記第２遮熱層１３のいずれかの一側側が延伸させられ、また第２遮熱層１３の表面にポリプロピレン不織布層１４が配設されてなる遮熱体Ｓである。【選択図】図１
0003223151.tif 000002
【実用新案登録請求の範囲】
【請求項１】
第１遮熱層と、第２遮熱層と、前記第１遮熱層と前記第２遮熱層との間に配設された第１断熱層とを備え、
前記第１遮熱層および前記第２遮熱層のいずれかの一側側が延伸させられてなる
ことを特徴とする遮熱体。
【請求項２】
第１遮熱層の一側側が延伸させられてなることを特徴とする請求項１記載の遮熱体。
【請求項３】
第２遮熱層の一側側が延伸させられてなることを特徴とする請求項１記載の遮熱体。
【請求項４】
第２遮熱層の表面に第２断熱層が配設されてなることを特徴とする請求項１記載の遮熱体。
【請求項５】
第２断熱層がポリプロピレン不織布層または発泡ポリエチレンフォーム層とされてなることを特徴とする請求項４記載の遮熱体。
【請求項６】
第１断熱層が発泡断熱層とされてなることを特徴とする請求項１記載の遮熱体。
【請求項７】
発泡断熱層が発泡ポリエチレンフォーム層とされてなることを特徴とする６記載の遮熱体。  
【請求項８】
第１遮熱層がアルミフィルムとされ、第２遮熱層がアルミ箔とされてなることを特徴とする請求項１記載の遮熱体。
【請求項９】
請求項１ないし請求項８のいずれか一項に記載の遮熱体を備えてなることを特徴とする屋根構造。
【請求項１０】
野地板の上に遮熱体が配設されてなることを特徴とする請求項９記載の屋根構造。
【考案の詳細な説明】
【技術分野】
【０００１】
本考案は遮熱体に関する。さらに詳しくは、夏場における消費電力のピークを消失できたり、体から地面への放射熱を遮熱できたりする遮熱体に関する。
【背景技術】
【０００２】
従来より、住宅および非住宅を含めた建築物の内部の断熱にグラスウールが利用されている。
【０００３】
しかしながら、所望の断熱性能を確保できるグラスウールの厚みは、２０ｍｍ−１００ｍｍ程度とされているので、外壁と内壁との隙間にグラスウールを充填して断熱を行うと壁などの厚みが厚くなる、という問題がある。
【０００４】
また、鋼板屋根の下にグラスウールを敷いて断熱を図ることもなされている。しかるに、屋根は太陽の直射日光に長時間照らされることから、太陽光からの熱エネルギーがグラスウールに蓄熱されるという現象が生ずる。このグラスウールに蓄熱された熱エネルギーは夜間に放熱され、いわゆる熱籠り現象が生じて期待された断熱効果を得ることができない、という問題もある。
【０００５】
さらに、グラスウールは吸湿性を有するため、屋根内や壁内の結露水や湿気を吸収するという現象も生ずる。その結果、グラスウールは吸収した水分の重みで厚みが薄くなったり、沈降したりして、つまり痩せるという現象が生じて断熱性能が著しく低下する、という問題も生ずる。その上、高温でしかも水分が存在すると、屋根裏などにカビが発生し、その発生したカビが建築物を侵蝕してその寿命を縮める、という問題も生ずる。
【０００６】
かかる事情などから、従来の住宅および非住宅を含めた建築物においては、充分な断熱がなし得ず、しかも近年の温暖化の影響も加わって、夏場には各建築物において冷房のためにエアコンが使用されている。夏場のエアコンの使用は、各建築物において一斉になされるため、夏場に消費電力のピークが発生している。
【０００７】
電力会社は、消費電力のピーク時における大規模停電を回避するため、発電能力をピーク時に対応したものとしておく必要がある。ピーク時は、その名のとおりピークであるからその期間は、きわめて短い。それにもかかわらず、ピーク時に対応させた発電能力としているため、発電設備の稼働率の低下を招来している。その結果、発電コストの上昇をも招来している。
【０００８】
そのため、夏場における消費電力のピークを消失できる断熱構造の出現が熱望されている。
【０００９】
本考案者は、かかる従来技術の課題を解決すべく、既にシステム断熱構造を提案している(特許文献１)。
【００１０】
しかしながら、本考案者の先の提案に係るシステム断熱構造を鋼板屋根の断熱材として用いた場合、遮熱機能を有する表面のアルミ箔層が鋼板屋根材と直接接触するため、熱橋が生じて期待されたほどの遮熱断熱効果が得られないことが判明した。
【００１１】
また、花見などにおいては地面にブルーシートを敷いて宴会がなされている。
【００１２】
しかしながら、ブルーシートは遮熱効果を有していないため、ブルーシートに座って宴会をした場合、体温が地面に奪われ、寒さに震えながら花見をすることになり、充分に花見を楽しむことができない。
【先行技術文献】
【特許文献】
【００１３】
【特許文献１】特開２０１７−２２７１０１号公報
【考案の開示】
【考案が解決しようとする課題】
【００１４】
本考案はかかる本考案者の先の提案に係る構造の課題に鑑みなされたものであって、鋼板屋根に用いられた場合でも遮熱体の遮熱部が鋼板屋根材と接触することがない遮熱体を提供することを主たる目的とし、さらに地面に体温を奪われることが防止される遮熱体を提供することも目的としている。
【課題を解決するための手段】
【００１５】
本考案の第１形態は、第１遮熱層と、第２遮熱層と、前記第１遮熱層と前記第２遮熱層との間に配設された第１断熱層とを備え、前記第１遮熱層および前記第２遮熱層のいずれかの一側側が延伸させられてなることを特徴とする遮熱体に関する。
【００１６】
本考案の第１形態の第１態様においては、第１遮熱層の一側側が延伸させられているものとされる。
【００１７】
本考案の第１形態の第２態様においては、第２遮熱層の一側側が延伸させられているものとされる。
【００１８】
本考案の第１形態においては、第２遮熱層の表面に第２断熱層が配設されてなるのが好ましい。その場合、第２断熱層は、例えばポリプロピレン不織布層または発泡ポリエチレンフォーム層とされる。
【００１９】
本考案の第１形態においては、第１断熱層が発泡断熱層とされてなるのが好ましい。
【００２０】
本考案においては、発泡断熱層が発泡ポリエチレンフォーム層とされてなるのが好ましい。
【００２１】
また、本考案においては、第１遮熱層がアルミフィルムとされ、第２遮熱層がアルミ箔とされてなるのが好ましい。
【００２２】
本考案の第２形態は、前記いずれかの遮熱体を備えてなることを特徴とする屋根構造に関する。
【００２３】
本考案の第２形態においては、野地板の上に遮熱体が配設されてなるのが好ましい。
【考案の効果】
【００２４】
本考案の第１形態は、前記の如く構成されているので、遮熱性に優れている。
【００２５】
本考案の第２形態は、前記の如く構成されているので、夏場における電力の消費量を削減でき、電力のデマンド値を低減できるという優れた効果を奏する。
【図面の簡単な説明】
【００２６】
【図１】本考案の実施形態１に係る遮熱体の分解積層図である。
【図２】本考案の実施形態２に係る遮熱体の分解積層図である。
【図３】本考案の実施例１の概略図である。
【図４】本考案の実施例２の概略図である。
【考案を実施するための形態】
【００２７】
以下、添付図面を参照しながら本考案を実施形態に基づいて説明するが、本考案はかかる実施形態のみに限定されるものではない。
【００２８】
実施形態１
図１に本考案の実施形態１に係る遮熱体Ｓ１（Ｓ）を分解積層図で示す。
【００２９】
実施形態１に係る遮熱体Ｓ１は、図１に示すように、第１層のアルミフィルム層(第１遮熱層)１１と、第１層の上に形成された第２層の発泡ポリエチレンフォーム層(第１断熱層)１２と、第２層の上に形成された第３層のアルミ箔層(第２遮熱層)１３と、第３層の上に形成された第４層のＰＰ不織布層(ポリプロピレン不織布層)( 第２断熱層)１４とを主要構成要素として備えてなる、厚みが６．５ｍｍ程度の積層体とされ、ロール状とされて施工現場に搬入される。
【００３０】
アルミフィルム層１１は、表面側(図示例では下面)に保護被膜１１ａが形成されたアルミ箔１１ｂとされる。アルミ箔１１ｂの厚みは６μｍ程度とされる。なお、かかる構成とされたアルミフィルム層１１は、例えば株式会社イックス社製のものとされる。
【００３１】
発泡ポリエチレンフォーム層１２は、発泡倍率が５倍−４０倍程度の硬発泡体とされ、厚みは６ｍｍ程度とされる。
【００３２】
アルミ箔層１３の厚みは、１２μｍ程度とされる。
【００３３】
ＰＰ不織布層は、厚みは０．４ｍｍ程度とされる。
【００３４】
発泡ポリエチレンフォーム層１２およびＰＰ不織布層１４の一側側は、図１に示すように、所定幅延伸させられているのが好ましい。
【００３５】
このように、本実施形態の遮熱体Ｓ１は、最上層にヒートシールに優れたＰＰ不織布層１４を配設し、さらにその下層に遮熱性に優れたアルミ箔層１３を配設しているので、屋根下地材に用いた場合、屋根の遮熱性能が向上し、ピーク時の電力消費量を削減できて電力のデマンド値を低減できる。その上、発泡ポリエチレンフォーム層１２が薄肉とされているので、熱籠り現象が生ずるおそれもない。
【００３６】
また、花見用のシートとして用いた場合、地表と接する最下層にアルミフィルムを用いているので、体温が地面に奪われるのが防止される。
【００３７】
実施形態２
図２に本考案の実施形態２に係る遮熱体Ｓ２（Ｓ）を分解積層図で示す。
【００３８】
実施形態２に係る遮熱体Ｓ２は、図２に示すように、第１層のアルミフィルム層(第１遮熱層)２１と、第１層の上に形成された第２層の発泡ポリエチレンフォーム層(第１断熱層)２２と、第２層の上に形成された第３層のアルミ箔層(第２遮熱層)２３と、第３層の上に形成された第４層の発泡ポリエチレンフォーム層(第２断熱層)２４とを主要構成要素として備えてなる、厚みが９ｍｍ程度の積層体とされ、ロール状とされて施工現場に搬入される。
【００３９】
アルミフィルム層２１は、実施形態１のアルミフィルム層１１と同様とされている。
【００４０】
発泡ポリエチレンフォーム層２２は、発泡倍率が５倍−４０倍程度の硬発泡体とされ、厚みは４．５ｍｍ程度とされる。
【００４１】
アルミ箔層２３の厚みは、１２μｍ程度とされる。
【００４２】
発泡ポリエチレンフォーム層２４は、発泡倍率が５倍−４０倍程度の硬発泡体とされ、厚みは４．５ｍｍ程度とされる。
【００４３】
アルミフィルム層２１は、の一側側は、図２に示すように、所定幅延伸させられているのが好ましい。
【００４４】
このように、本実施形態の遮熱体Ｓ２は、最上層にヒートシールに優れた発泡ポリエチレンフォーム層を配設し、さらにその下層に遮熱性に優れたアルミ箔層２３を配設しているので、屋根下地材に用いた場合、屋根の遮熱性能が向上し、ピーク時の電力消費量を削減できて電力のデマンド値を低減できる。その上、発泡ポリエチレンフォーム層２２、２４が薄肉とされているので、熱籠り現象が生ずるおそれもない。
【００４５】
また、花見用のシートとして用いた場合、地表と接する最下層にアルミフィルムを用いているので、体温が地面に奪われるのが防止される。
【実施例】
【００４６】
実施例１
図３に本考案の実施例１を概略図で示す。
【００４７】
実施例１は、実施形態１の遮熱体Ｓ１を屋根下地材に用いた屋根構造Ｋ１（Ｋ）の要部概略図である。
【００４８】
実施例１の屋根構造Ｋ１は、図３に示すように、垂木(図示例ではリップ溝形鋼)３１と、垂木３１の上に配設された野地板３２と、野地板３２の上に配設された防湿フィルム３３と、防湿フィルム３３の上に配設された遮熱体Ｓ１と、遮熱体Ｓ１の上に配設された鋼板屋根材(図示省略)とを主要構成要素として備えてなるものとされる。
【００４９】
遮熱体Ｓ１は、図３に示すように、延伸された一側側が隣接する他方の遮熱体Ｓ１の上に覆いかぶさるようにして配設される。しかして、このようにすることにより、遮熱部の切断が防止される。
【００５０】
このように、実施例１の屋根構造Ｋ１においては、野地板３２の上に薄肉の遮熱体Ｓ１を配設しているので、屋根の重量増加を抑制しながら、屋根の遮熱性の向上を図ることができる。
【００５１】
実施例２
図４に本考案の実施例２を概略図で示す。
【００５２】
実施例２は、実施形態２の遮熱体Ｓ２を屋根下地材に用いた屋根構造Ｋ２（Ｋ）の要部概略図である。
【００５３】
実施例２の屋根構造は、図４に示すように、垂木(図示例ではリップ溝形鋼)４１と、垂木４１の上に配設された野地板４２と、野地板４２の上に配設された防湿フィルム４３と、防湿フィルム４３の上に遮熱体Ｓ２と、遮熱体Ｓ２の上に配設された鋼板屋根材(図示省略)とを主要構成要素として備えてなるものとされる。
【００５４】
遮熱体Ｓ２は、図４に示すように、延伸された一側側が隣接する他方の遮熱体Ｓ２の下に潜り込むようにして配設される。しかして、このようにすることにより、遮熱部の切断が防止される。
【００５５】
このように、実施例２の屋根構造Ｋ２においては、野地板４２の上に薄肉の遮熱体Ｓ２を配設しているので、屋根の重量増加を抑制しながら、屋根の遮熱性の向上を図ることができる。
【００５６】
以上、本考案を実施形態および実施例に基づいて説明してきたが、本考案はかかる実施形態および実施例に限定されるものではなく、種々改変が可能である。
【００５７】
例えば、実施例では屋根構造を例に取り説明されているが、本考案の適用は屋根構造に限定されるものではなく、壁面構造にも適用できる。
【産業上の利用可能性】
【００５８】
本考案は建築産業に適用できる。
【符号の説明】
【００５９】
Ｓ，Ｓ１，Ｓ２    遮熱体
Ｋ，Ｋ１，Ｋ２    屋根構造
１１              アルミフィルム層(第１遮熱層) 
１１ａ            保護被膜
１１ｂ            アルミ箔
１２              発泡ポリエチレンフォーム層(第１断熱層) 
１３              アルミ箔層(第２遮熱層) 
１４              ＰＰ不織布層(第２断熱層)
２１              アルミフィルム層(第１遮熱層)
２２              発泡ポリエチレンフォーム層(第１断熱層) 
２３              アルミ箔層(第２遮熱層)
２４              発泡ポリエチレンフォーム層(第２断熱層)
３１，４１        垂木
３２，４２        野地板
３３，４３        防湿フィルム
【図１】
0003223151.tif 000003
【図２】
0003223151.tif 000004
【図３】
0003223151.tif 000005
【図４】
0003223151.tif 000006